(57)【特許請求の範囲】
【請求項１】
内外に貫通する糸通過孔を適所に有する外囲器と、
この外囲器内に設けられ、前記糸通過孔から前記外囲器の外部に引き出し可能な糸を収容している糸収容体と、
前記外囲器内に、前記糸通過孔を包囲するように設けられ、その内部を前記糸収容体の前記糸が通って前記糸通過孔から導出されている筒状体とを、
具備し、前記筒状体は、前記糸よりも充分に大きい幅を有する
糸繰り出し装置。
【請求項２】
請求項１記載の糸繰り出し装置において、前記筒状体は、前記糸通過孔が形成されている前記外囲器の壁部に一端部が接し、他端部が、仕切りによって被われており、前記仕切りは前記糸の通過を可能としている糸繰り出し装置。
【請求項３】
内外に貫通する糸通過孔を適所に有する外囲器と、
この外囲器内に設けられ、前記糸通過孔から前記外囲器の外部に引き出し可能な糸を収容している糸収容体と、
前記外囲器内に、前記糸通過孔を包囲するように設けられ、前記糸収容体からの前記糸が内部を通って前記糸通過孔から外部に導出される部屋とを、
具備する糸繰り出し装置。
【請求項４】
請求項１または３記載の糸繰り出し装置において、前記外囲器の外部に設けられ、前記糸通過孔から導出された糸を前記糸通過孔から更に導出するか前記糸通過孔から前記外囲器内に送り込む導出送り込み手段を有する糸繰り出し装置。
【請求項５】
請求項４記載の糸繰り出し装置において、前記糸が釣り糸であって、前記外囲器が釣り竿の基部に設けられている糸繰り出し装置。
【請求項６】
請求項１または３記載の糸繰り出し装置において、前記外囲器は、分解可能に構成され、分解状態において前記糸収容体を取り出し可能に設けられた糸繰り出し装置。
【発明の詳細な説明】
【技術分野】
【０００１】
本発明は、例えば釣り糸のような糸を収容した外囲器から繰り出す糸繰り出し装置に関する。
【背景技術】
【０００２】
従来、上記の糸繰り出し装置としては、例えば特許文献１に開示されたものがある。この糸繰り出し装置では、糸巻きが、上部を開放した直方体状の中箱内に収容され、この中箱が、両端を開放した中空の直方体状の外箱内に収容されている。前記外箱の一方の開放端部に相当する位置の中箱に設けた貫通孔から外部に引き出されている。
【０００３】
【特許文献１】特許第３８９９１１７号明細書
【発明の開示】
【発明が解決しようとする課題】
【０００４】
特許文献１の技術によれば、糸巻きの構成により、糸に巻き癖がつかず、容易に糸を引き出すことができるが、必要以上に引き出してしまった糸を再度中箱内に貫通孔を介して戻そうとした場合、中箱内で糸がもつれるという問題点があった。
【０００５】
本発明は、引き出された糸を戻しても、糸がもつれない糸繰り出し装置を提供することを目的とする。
【課題を解決するための手段】
【０００６】
本発明の一態様の糸繰り出し装置は、外囲器を有している。外囲器は、例えば合成樹脂や紙等の任意の材料によって構成され、直方体状、円板状等の任意の形状とすることができる。この外囲器の適所に内外に貫通する糸通過孔が設けられている。この外囲器内に糸収容体が設けられている。糸収容体は、前記糸通過孔から前記外囲器の外部に引き出し可能な糸を収容している。糸収容体としては、例えば上述した特許第３８９９１１７号に開示されている糸巻きを使用することができるし、一般に使用されている両端にフランジを有する短円筒状部に糸を巻いた糸巻きを使用することもできる。前記外囲器内に、筒状体が設けられている。この筒状体は、前記糸通過孔を包囲するように設けられ、その内部を前記糸収容体の前記糸が通って前記糸通過孔から導出されている。筒状体は、円筒状とすることもできるし、角筒状とすることもできる。筒状体は、前記糸の径よりも充分に大きい幅を有している。
【０００７】
このように構成された糸繰り出し装置では、糸収容体から糸通過孔を介して外囲器の外部に引きされた糸を、糸通過孔を介して再度外囲器内に戻すと、糸は筒状体内に収容され、糸収容体側まで戻らない。従って、糸が糸収容体付近の糸と絡み合うことがなく、糸がもつれることがない。
【０００８】
前記筒状体は、前記糸通過孔が形成されている前記外囲器の壁部に一端部が接するように設けることができる。この場合、筒状体の他端部が、仕切りによって被われており、仕切りは前記糸の通過を可能としている。例えば筒状体の他端部を被う壁によって仕切りを構成し、これに糸の通過孔を設けることもできるし、或いは網状体を仕切りとして使用することもできる。
【０００９】
このように構成すると、糸通過孔から外囲器内に戻された糸は、確実に筒状体内のみに収容されるので、より確実に糸収容体付近の糸と絡み合うことを防止できる。
【００１０】
本発明の他の態様の糸繰り出し装置は、上記の態様と同様に外囲器と、糸収容体を有している。外囲器内に、糸通過孔を包囲するように部屋が設けられ、糸収容体からの糸が内部を通って記糸通過孔から外部に導出されている。
【００１１】
このように構成した場合も、糸通過孔から外囲器内に戻された糸は、確実に部屋内のみに収容され、糸収容体付近に戻ることはなく、より確実に糸収容体付近の糸と絡み合うことを防止できる。
【００１２】
上述した２つの態様の外囲器において、外囲器の外部に、糸通過孔から導出された糸を前記糸通過孔から更に導出するか前記糸通過孔から前記外囲器内に送り込む導出送り込み手段を設けることができる。この手段は、電動とすることもできるし、手動とすることもできる。この手段を設けることによって、糸の繰り出しや送り込みを容易に行うことができる。
【００１３】
このような手段を設けた糸繰り出し装置において、前記糸を釣り糸とすることができる。この場合、外囲器が釣り竿の基部に設けられている。このように構成することによって、簡単に釣りを行うことが可能となる。
【００１４】
上述した２つの態様において、前記外囲器は、分解可能に構成することができる。例えば、外囲器が直方体状の場合、その長さ方向に沿って分割形成し、それら分割形成部材の一端部を蝶番で結合することができる。このような分解状態において糸収容体を取り出し可能に設けてある。このように構成することによって、糸収容体の糸が無くなった場合の糸収容体の交換が容易に行える。
【発明の効果】
【００１５】
以上のように、本発明によれば、糸を外囲器内に戻した場合でも、筒状体または部屋を外囲器内に設けることによって、糸のもつれを防止することができる。
【発明を実施するための最良の形態】
【００１６】
本発明の第１実施形態の糸繰り出し装置は、例えば釣り糸を繰り出すもので、図１に示すように、外囲器２を有している。外囲器２は、例えば合成樹脂製の扁平な直方体状で、内部が中空に形成されている。外囲器２は、その厚さ方向のほぼ中央の分割面によって２つに分割された分割部材２ａ、２ｂからなる。これら分割部材２ａ、２ｂは、それらの一端部側が蝶番４によって開閉可能に結合されている。また、図示していない係合具によって、分割部材２ａ、２ｂが自然に開くことが防止されている。これら分割部材２ａ、２ｂの他方の端部側の合わせ面には、糸通過孔６が外囲器の内外に貫通するように形成されている。この糸通過孔６は、後述する釣り糸よりも僅かに直径が大きい円孔である。
【００１７】
この外囲器２の内部中央には、図２に示すように、糸収容体８が、外囲器２の長さ方向に沿って蝶番４が設けられている端部から糸通過孔６が形成されている端部の近傍まで配置されている。この糸収容体８は、特許第３８９９１７号に開示されている糸巻きと同じもので、これに巻かれた釣り糸１０には巻き癖がつかず、また釣り糸１０の引き出しが容易に行えるものである。この糸収容体８から引き出された釣り糸１０の先端は、糸通過孔６を通って外囲器２の外部に導出されている。この糸収容体８では、これから引き出された釣り糸１０は、外囲器２から糸収容体８を取り出して、巻きなおさない限り、引き出された釣り糸１０を糸収容体８に巻き戻すことはできない。
【００１８】
また、これら糸収容体８は、外囲器２を分割形成部２ａ、２ｂの合わせ面から開いた状態において、取り出して別の糸収容体８に交換可能に構成されている。これによって、糸収容体８の釣り糸１０を使いきっても、新たな糸収容体を８を使用するか、先に使用していた糸収容体８に新しい釣り糸１０を巻いて再び外囲器２内に収容することによって再びこの糸繰り出し装置を使用することができる。
【００１９】
この糸収容体８と外囲器２の他方の端部との間に、筒状体、例えば円筒１２が配置されている。円筒１２は、糸通過孔６よりも径が格段に大きいもので、その中心軸が糸通過孔６の中心にほぼ位置するように配置され、その一方の端部が糸通過孔６が形成されている外囲器２の端部に接触している。この円筒１２の他方の端部は、仕切り壁１４によって閉じられ、かつ糸収容体８と接触している。そして、この仕切壁１４には、貫通孔１６が形成され、糸収容体８から引き出された釣り糸１０が貫通孔１６を通過して円筒１２内に侵入し、更に糸通過孔６から外囲器２の外部に引き出されている。
【００２０】
このように構成された糸繰り出し装置では、糸通過孔６から引き出された釣り糸１０の先端を、更に引くことによって所望の長さだけ釣り糸１０を外囲器２の外部に引き出し、切断して使用する。この際に、必要な長さよりも長く釣り糸１０を引き出した場合、釣り糸１０を糸通過孔６から外囲器２内に戻す。このとき、釣り糸１０は、図２に示すように、円筒１２内に戻され、円筒１２内に止まる。即ち、仕切り１４が円筒１２に形成されているので、仕切り１４の貫通孔１６を通過して糸収容体８側まで釣り糸１０が戻ることはない。従って、外囲器２内に戻された釣り糸１０が糸収容体８から引き出されている釣り糸１０の部分と絡み合うことがなく、釣り糸がもつれることはない。
【００２１】
本発明の第２の実施形態の糸繰り出し装置は、図３及び図４に示すように、外囲器２から引き出された釣り糸１０を、繰り出し及び巻き戻し具１８に導入している。繰り出し及び巻き戻し具１８は、外囲器２の側方に着脱自在に取り付けられたケース２０を有している。このケース２０は、外囲器２の厚さとほぼ同じ厚さの小直方体状である。この内部に、２つのローラ２２、２４が設けられている。これらローラ２２、２４は、その回転軸が外囲器２の幅方向に沿うように、外囲器２の長さ方向に沿って配置され、互いの周面が、それらの間に釣り糸１０を挟むことが可能に配置されている。しかも、ローラ２２、２４は回転自在にケース２０内に支持されている。ローラ２２の回転軸のうち外囲器２と反対側の端部は、ハンドル２６に結合され、正逆いずれの方向にも回転可能とされている。また、糸通過孔６から引き出された釣り糸１０が、ケース２０の一方の側面の形成した貫通孔２８からケース２０内に導入され、ローラ２２、２４間を通って反対側の側面の貫通孔（図示せず）から引き出されている。
【００２２】
このように構成された糸繰り出し装置では、ハンドル２６を一方の方向に回転させると、ローラ２２、２４の回転に従って外囲器２内から釣り糸１０が引き出される。また、ハンドル２６を逆方向に回転させると、ローラ２２，２４の逆方向の回転に従って釣り糸１０が巻き戻され、糸通過孔６から円筒１２内に戻すことが容易になる。なお、糸通過孔６に自動的に釣り糸１０が戻らない場合には、手で糸通過孔６内に戻す。
【００２３】
この第２の実施形態の糸繰り出し装置によれば、釣り糸の繰り出しが容易に行える。また、この糸繰り出し装置を図５に示すように釣り竿３０の基部に適当な固定具によって固定すれば、釣り用リールとしても使用可能である。
【００２４】
上記の２つの実施形態では、円筒１２を使用したが、これに限ったものではなく、例えば角筒を使用することもできる。また、仕切り１４は、完全に円筒１２の他端部を閉じるものを使用したが、これに限ったものではなく、例えば網状のものを仕切りとして使用することもできる。また、円筒に代えて、外囲器２の内部を２つの部屋に区画する壁を設け、その一方に糸収容体８を配置し、他方の部屋に糸収容体８からの糸を導入するように仕切りに貫通孔を設け、この仕切りと対向する外囲器２の壁に、部屋内の糸を外部に導出する糸通過孔を設けることもできる。上記の２つの実施形態では、外囲器２は直方体状としたが、これに限ったものではなく、糸収容体８の形状に従って他の形状、例えば円板状とすることもできる。更に、外囲器２は、２つの分割部分２ａ、２ｂを蝶番４によって結合したが、これに限ったものではなく、例えばネジによって固定することもできる。また、糸収容体８として、特許第３８９９１１７号に開示された糸巻きに限ったものではなく、通常の糸巻きに釣り糸を巻いたものを使用することもできる。また、第２の実施形態では、繰り出し及び巻き戻し具１８を外囲器２の一方の側面側に設けたが、糸通過孔６が形成されている端面に設けることもできる。更に、第２の実施形態では、繰り出し及び巻き戻し具１８は、ハンドル２６による手動操作としたが、モータによってローラ２２、２４を回転させるようにすることもできる。また、上記の２つの実施形態では、釣り糸を使用したが、これに限ったものではなく、例えば外科手術に使用する糸を使用することもできる。
【図面の簡単な説明】
【００２５】
【図１】本発明の第１の実施形態の糸繰り出し装置の斜視図である。
【図２】図１の糸繰り出し装置の縦断面図である。
【図３】本発明の第２の実施形態の糸繰り出し装置の斜視図である。
【図４】図３の糸繰り出し装置の縦断面図である。
【図５】図３の糸繰り出し装置の使用の一例を示す図である。
【符号の説明】
【００２６】
２  外囲器
６  糸通過孔
８  糸収容体
１０  釣り糸
１２  円筒（筒状体）
１４  仕切り
【要約】
【課題】  引き出された糸を戻しても、糸がもつれないようにする。
【解決手段】  外囲器２内に設けた糸収容体８が、外囲器２の形成した糸通過孔６から外部に釣り糸１０を引き出し可能に、かつ巻き戻し不能に収容している。外囲器２内に、糸通過孔６を包囲するように円筒１２が設けられ、その内部を糸収容体８の釣り糸１０が通って糸通過孔６から導出されている。円筒１２の径は、釣り糸１０よりも充分に大きい。
【選択図】        図２【図１】
0004072565.tif 000002
【図２】
0004072565.tif 000003
【図３】
0004072565.tif 000004
【図４】
0004072565.tif 000005
【図５】
0004072565.tif 000006